【手続補正書】
【提出日】平成18年9月20日(2006.9.20)
【手続補正１】
【補正対象書類名】明細書
【補正対象項目名】発明の名称
【補正方法】変更
【補正の内容】
【発明の名称】画像処理装置、画像処理方法、及び、画像処理プログラム
【手続補正２】
【補正対象書類名】明細書
【補正対象項目名】特許請求の範囲
【補正方法】変更
【補正の内容】
【特許請求の範囲】
【請求項１】  カラー画像データを入力する入力手段と、
この入力手段によって入力されたカラー画像データの輝度の度数分布を示すヒストグラムデータを取得するヒストグラムデータ取得手段と、
前記入力されたカラー画像データを出力する出力側が表現できるカラー画像データの制限内容に基づいて出力側低輝度値および出力側輝度値を取得する出力側輝度値取得手段と、
この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段と、
前記出力側の目標平均輝度値を取得する目標平均輝度取得手段と、
前記入力されたカラー画像データの平均輝度値を取得する平均輝度取得手段と、
前記目標平均輝度取得手段によって取得された前記出力側の目標平均輝度値と前記平均輝度取得手段によって取得された平均輝度値とを比較する比較手段と、
前記入力側輝度値設定手段によって設定された入力側低輝度値および入力側高輝度値と、前記比較手段による比較結果とに基づいて、前記入力されたカラー画像データの輝度成分を低輝度側または高輝度側に選択的に制御して輝度変換を行う輝度変換手段と
を備えたことを特徴とする画像処理装置。
【請求項２】  前記平均輝度取得手段により取得された平均輝度値と前記目標平均輝度取得手段により取得された目標平均輝度値との比率を算出する第１の算出手段と、
この第１の算出手段より算出された比率に応じ新たな出力側低輝度値および出力側高輝度値を算出する第２の算出手段と、
この第２の算出手段により算出された新たな出力側低輝度値および出力側高輝度値を、前記出力側輝度値取得手段により取得された出力側低輝度値および出力側輝度値に代えて設定する出力側輝度値設定手段と
を更に備えたことを特徴とする請求項１記載の画像処理装置。
【請求項３】  カラー画像データを入力する入力手段と、
この入力手段によって入力されたカラー画像データの輝度の度数分布を示すヒストグラムデータを取得するヒストグラムデータ取得手段と、
前記入力されたカラー画像データを出力する出力側が表現できるカラー画像データの制限内容に基づいて出力側低輝度値および出力側輝度値を取得する出力側輝度値取得手段と、
この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段と、
前記出力側輝度値取得手段によって取得された出力側低輝度値が前記入力側輝度値設定手段によって設定された入力側低輝度値よりも小さいときには、前記入力されたカラー画像データにおける輝度変換対象領域を前記入力側低輝度値よりも低輝度側の領域に制御して輝度変換を行う第１の輝度変換手段と、
前記出力側輝度値取得手段によって取得された出力側高輝度値が前記入力側輝度値設定手段によって設定された入力側高輝度値よりも大きいときには、前記入力されたカラー画像データにおける輝度変換対象領域を前記入力側高輝度値よりも高輝度側の領域に制御して輝度変換を行う第２の輝度変換手段と
を備えたことを特徴とする画像処理装置。
【請求項４】  前記入力側低輝度値および入力側高輝度値の間の輝度幅と、前記出力側低輝度値および出力側高輝度値の間の輝度幅との比率を算出する算出手段と、
この算出手段より算出された比率に応じて出力側の輝度の変化率を抑制する抑制手段と
を更に備えたことを特徴とする請求項１乃至３いずれか記載の画像処理装置。
【請求項５】  前記ヒストグラムデータ取得手段により取得されたヒストグラムデータは、入力されたカラー画像データに設定された１又は複数の検出エリアにおけるデータであることを特徴とする請求項１乃至４いずれか記載の画像処理装置。
【請求項６】  撮像手段を更に備え、
前記入力手段は、前記撮像手段による撮像に基づいて取得されたカラー画像データを入力することを特徴とする請求項１乃至５のいずれか記載の画像処理装置。
【請求項７】  前記検出エリアは、前記撮像手段による撮影時におけるフォーカスエリアを含むことを特徴とする請求項６記載の画像処理装置。
【請求項８】  前記検出エリアは、前記撮像手段による撮影時における露光量検出エリアを含むことを特徴とする請求項６又は７記載の画像処理装置。
【請求項９】  カラー画像データを入力する入力ステップと、
この入力ステップにて入力されたカラー画像データの輝度の度数分布を示すヒストグラムデータを取得するヒストグラムデータ取得ステップと、
前記入力されたカラー画像データを出力する出力側が表現できるカラー画像データの制限内容に基づいて出力側低輝度値および出力側輝度値を取得する出力側輝度値取得ステップと、
この出力側輝度値取得ステップにて取得された出力側低輝度値および出力側輝度値に対応する入力側低輝度値および入力側高輝度値を、前記ヒストグラムデータ取得ステップにて取得されたヒストグラムデータにおける輝度分布の割合から設定する入力側輝度値設定ステップと、
前記出力側の目標平均輝度値を取得する目標平均輝度取得ステップと、
前記入力されたカラー画像データの平均輝度値を取得する平均輝度取得ステップと、
前記目標平均輝度取得ステップにて取得された前記出力側の目標平均輝度値と前記平均輝度取得ステップにて取得された平均輝度値とを比較する比較ステップと、
前記入力側輝度値設定ステップにて設定された入力側低輝度値および入力側高輝度値と、前記比較ステップによる比較結果とに基づいて、前記入力されたカラー画像データの輝度成分を低輝度側または高輝度側に選択的に制御して輝度変換を行う輝度変換ステップと
からなることを特徴とする画像処理方法。
【請求項１０】  コンピュータを、
カラー画像データを入力する入力手段、
この入力手段によって入力されたカラー画像データの輝度の度数分布を示すヒストグラムデータを取得するヒストグラムデータ取得手段、
前記入力されたカラー画像データを出力する出力側が表現できるカラー画像データの制限内容に基づいて出力側低輝度値および出力側輝度値を取得する出力側輝度値取得手段、
この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段、
前記出力側の目標平均輝度値を取得する目標平均輝度取得手段、
前記入力されたカラー画像データの平均輝度値を取得する平均輝度取得手段、
前記目標平均輝度取得手段によって取得された前記出力側の目標平均輝度値と前記平均輝度取得手段によって取得された平均輝度値とを比較する比較手段、
前記入力側輝度値設定手段によって設定された入力側低輝度値および入力側高輝度値と、前記比較手段による比較結果とに基づいて、前記入力されたカラー画像データの輝度成分を低輝度側または高輝度側に選択的に制御して輝度変換を行う輝度変換手段
として機能させることを特徴とする画像処理プログラム。
【請求項１１】  コンピュータを、
カラー画像データを入力する入力手段、
この入力手段によって入力されたカラー画像データの輝度の度数分布を示すヒストグラムデータを取得するヒストグラムデータ取得手段、
前記入力されたカラー画像データを出力する出力側が表現できるカラー画像データの制限内容に基づいて出力側低輝度値および出力側輝度値を取得する出力側輝度値取得手段、
この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段、
前記出力側輝度値取得手段によって取得された出力側低輝度値が前記入力側輝度値設定手段によって設定された入力側低輝度値よりも小さいときには、前記入力されたカラー画像データにおける輝度変換対象領域を前記入力側低輝度値よりも低輝度側の領域に制御して輝度変換を行う第１の輝度変換手段、
前記出力側輝度値取得手段によって取得された出力側高輝度値が前記入力側輝度値設定手段によって設定された入力側高輝度値よりも大きいときには、前記入力されたカラー画像データにおける輝度変換対象領域を前記入力側高輝度値よりも高輝度側の領域に制御して輝度変換を行う第２の輝度変換手段
として機能させることを特徴とする画像処理プログラム。
【手続補正３】
【補正対象書類名】明細書
【補正対象項目名】０００１
【補正方法】変更
【補正の内容】
【０００１】
【発明の属する技術分野】
本発明は、画像のコントラスト調整に用いて好適な画像処理装置、画像処理方法、及び、画像処理プログラムに関する。
【手続補正４】
【補正対象書類名】明細書
【補正対象項目名】０００６
【補正方法】変更
【補正の内容】
【０００６】
本発明は、かかる従来の課題に鑑みてなされたものであり、画像の内容に適したコントラスト調整が可能となる画像処理装置、画像処理方法、及び、画像処理プログラムを提供することを目的とする。
【手続補正５】
【補正対象書類名】明細書
【補正対象項目名】０００７
【補正方法】変更
【補正の内容】
【０００７】
【課題を解決するための手段】
前記課題を解決するために、請求項１記載の発明は、カラー画像データを入力する入力手段と、この入力手段によって入力されたカラー画像データの輝度の度数分布を示すヒストグラムデータを取得するヒストグラムデータ取得手段と、前記入力されたカラー画像データを出力する出力側が表現できるカラー画像データの制限内容に基づいて出力側低輝度値および出力側輝度値を取得する出力側輝度値取得手段と、この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段と、前記出力側の目標平均輝度値を取得する目標平均輝度取得手段と、前記入力されたカラー画像データの平均輝度値を取得する平均輝度取得手段と、前記目標平均輝度取得手段によって取得された前記出力側の目標平均輝度値と前記平均輝度取得手段によって取得された平均輝度値とを比較する比較手段と、前記入力側輝度値設定手段によって設定された入力側低輝度値および入力側高輝度値と、前記比較手段による比較結果とに基づいて、前記入力されたカラー画像データの輝度成分を低輝度側または高輝度側に選択的に制御して輝度変換を行う輝度変換手段とを備えたことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
また、請求項２記載の発明は、上記請求項１記載の発明において、前記平均輝度取得手段により取得された平均輝度値と前記目標平均輝度取得手段により取得された目標平均輝度値との比率を算出する第１の算出手段と、この第１の算出手段より算出された比率に応じ新たな出力側低輝度値および出力側高輝度値を算出する第２の算出手段と、この第２の算出手段により算出された新たな出力側低輝度値および出力側高輝度値を、前記出力側輝度値取得手段により取得された出力側低輝度値および出力側輝度値に代えて設定する出力側輝度値設定手段とを更に備えたことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
前記課題を解決するために、請求項３記載の発明は、カラー画像データを入力する入力手段と、この入力手段によって入力されたカラー画像データの輝度の度数分布を示すヒストグラムデータを取得するヒストグラムデータ取得手段と、前記入力されたカラー画像データを出力する出力側が表現できるカラー画像データの制限内容に基づいて出力側低輝度値および出力側輝度値を取得する出力側輝度値取得手段と、この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段と、前記出力側輝度値取得手段によって取得された出力側低輝度値が前記入力側輝度値設定手段によって設定された入力側低輝度値よりも小さいときには、前記入力されたカラー画像データにおける輝度変換対象領域を前記入力側低輝度値よりも低輝度側の領域に制御して輝度変換を行う第１の輝度変換手段と、前記出力側輝度値取得手段によって取得された出力側高輝度値が前記入力側輝度値設定手段によって設定された入力側高輝度値よりも大きいときには、前記入力されたカラー画像データにおける輝度変換対象領域を前記入力側高輝度値よりも高輝度側の領域に制御して輝度変換を行う第２の輝度変換手段とを備えたことを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
また、請求項４記載の発明は、上記請求項１乃至３のいずれか記載の発明において、前記入力側低輝度値および入力側高輝度値の間の輝度幅と、前記出力側低輝度値および出力側高輝度値の間の輝度幅との比率を算出する算出手段と、この算出手段より算出された比率に応じて出力側の輝度の変化率を抑制する抑制手段とを更に備えたことを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
また、請求項５記載の発明は、上記請求項１乃至４のいずれか記載の発明において、前記ヒストグラムデータ取得手段により取得されたヒストグラムデータは、入力されたカラー画像データに設定された１又は複数の検出エリアにおけるデータであることを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
また、請求項６記載の発明は、上記請求項１乃至５のいずれか記載の発明において、撮像手段を更に備え、前記入力手段は、前記撮像手段による撮像に基づいて取得されたカラー画像データを入力することを特徴とする。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
また、請求項７記載の発明は、上記請求項６記載の発明において、前記検出エリアは、前記撮像手段による撮影時におけるフォーカスエリアを含むことを特徴とする。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
また、請求項８記載の発明は、上記請求項６又は７記載の発明において、前記検出エリアは、前記撮像手段による撮影時における露光量検出エリアを含むことを特徴とする。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
前記課題を解決するために、請求項９記載の発明は、カラー画像データを入力する入力ステップと、この入力ステップにて入力されたカラー画像データの輝度の度数分布を示すヒストグラムデータを取得するヒストグラムデータ取得ステップと、前記入力されたカラー画像データを出力する出力側が表現できるカラー画像データの制限内容に基づいて出力側低輝度値および出力側輝度値を取得する出力側輝度値取得ステップと、この出力側輝度値取得ステップにて取得された出力側低輝度値および出力側輝度値に対応する入力側低輝度値および入力側高輝度値を、前記ヒストグラムデータ取得ステップにて取得されたヒストグラムデータにおける輝度分布の割合から設定する入力側輝度値設定ステップと、前記出力側の目標平均輝度値を取得する目標平均輝度取得ステップと、前記入力されたカラー画像データの平均輝度値を取得する平均輝度取得ステップと、前記目標平均輝度取得ステップにて取得された前記出力側の目標平均輝度値と前記平均輝度取得ステップにて取得された平均輝度値とを比較する比較ステップと、前記入力側輝度値設定ステップにて設定された入力側低輝度値および入力側高輝度値と、前記比較ステップによる比較結果とに基づいて、前記入力されたカラー画像データの輝度成分を低輝度側または高輝度側に選択的に制御して輝度変換を行う輝度変換ステップとからなることを特徴とする。
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】変更
【補正の内容】
【００２５】
前記課題を解決するために、請求項１０記載の発明は、コンピュータを、カラー画像データを入力する入力手段、この入力手段によって入力されたカラー画像データの輝度の度数分布を示すヒストグラムデータを取得するヒストグラムデータ取得手段、前記入力されたカラー画像データを出力する出力側が表現できるカラー画像データの制限内容に基づいて出力側低輝度値および出力側輝度値を取得する出力側輝度値取得手段、この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段、前記出力側の目標平均輝度値を取得する目標平均輝度取得手段、前記入力されたカラー画像データの平均輝度値を取得する平均輝度取得手段、前記目標平均輝度取得手段によって取得された前記出力側の目標平均輝度値と前記平均輝度取得手段によって取得された平均輝度値とを比較する比較手段、前記入力側輝度値設定手段によって設定された入力側低輝度値および入力側高輝度値と、前記比較手段による比較結果とに基づいて、前記入力されたカラー画像データの輝度成分を低輝度側または高輝度側に選択的に制御して輝度変換を行う輝度変換手段として機能させることを特徴とする。
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】変更
【補正の内容】
【００２７】
前記課題を解決するために、請求項１１記載の発明は、コンピュータを、カラー画像データを入力する入力手段、この入力手段によって入力されたカラー画像データの輝度の度数分布を示すヒストグラムデータを取得するヒストグラムデータ取得手段、前記入力されたカラー画像データを出力する出力側が表現できるカラー画像データの制限内容に基づいて出力側低輝度値および出力側輝度値を取得する出力側輝度値取得手段、この出力側輝度値取得手段によって取得された出力側低輝度値および出力側輝度値に対応する入力側低輝度値および入力側高輝度値を、前記ヒストグラムデータ取得手段によって取得されたヒストグラムデータにおける輝度分布の割合から設定する入力側輝度値設定手段、前記出力側輝度値取得手段によって取得された出力側低輝度値が前記入力側輝度値設定手段によって設定された入力側低輝度値よりも小さいときには、前記入力されたカラー画像データにおける輝度変換対象領域を前記入力側低輝度値よりも低輝度側の領域に制御して輝度変換を行う第１の輝度変換手段、前記出力側輝度値取得手段によって取得された出力側高輝度値が前記入力側輝度値設定手段によって設定された入力側高輝度値よりも大きいときには、前記入力されたカラー画像データにおける輝度変換対象領域を前記入力側高輝度値よりも高輝度側の領域に制御して輝度変換を行う第２の輝度変換手段として機能させることを特徴とする。
【手続補正２６】
【補正対象書類名】明細書
【補正対象項目名】００６６
【補正方法】変更
【補正の内容】
【００６６】
【発明の効果】
以上説明したように、本発明によれば、入力されたカラー画像データからヒストグラムを取得し、このカラー画像データの出力側の表現できる制限内容に基づいて出力側低輝度値および出力側輝度値を取得し、この出力側低輝度値および出力側輝度値に対応する入力側低輝度値および入力側高輝度値を、ヒストグラムデータにおける輝度分布の割合から設定する。そして、出力側の目標平均輝度値と、入力されたカラー画像データの平均輝度値とを比較し、設定された入力側低輝度値および入力側高輝度値と、この比較結果とに基づいて、入力されたカラー画像データの輝度成分を低輝度側または高輝度側に選択的に制御するようにしたので、画像の内容に適したコントラスト調整が可能となる。
【手続補正２７】
【補正対象書類名】明細書
【補正対象項目名】００６７
【補正方法】変更
【補正の内容】
【００６７】
また、本発明によれば、入力されたカラー画像データからヒストグラムを取得し、このカラー画像データの出力側の表現できる制限内容に基づいて出力側低輝度値および出力側輝度値を取得し、この出力側低輝度値および出力側輝度値に対応する入力側低輝度値および入力側高輝度値を、ヒストグラムデータにおける輝度分布の割合から設定する。そして、出力側低輝度値が入力側低輝度値よりも小さいときには、入力されたカラー画像データにおける輝度変換対象領域を入力側低輝度値よりも低輝度側の領域へ、出力側高輝度値が入力側高輝度値よりも大きいときには、入力されたカラー画像データにおける輝度変換対象領域を入力側高輝度値よりも高輝度側の領域に制御するようにしたので、画像の内容に適したコントラスト調整が可能となる。
【手続補正２８】
【補正対象書類名】明細書
【補正対象項目名】００６８
【補正方法】削除
【補正の内容】
【手続補正２９】
【補正対象書類名】明細書
【補正対象項目名】００６９
【補正方法】削除
【補正の内容】
【手続補正３０】
【補正対象書類名】明細書
【補正対象項目名】００７０
【補正方法】削除
【補正の内容】
【手続補正３１】
【補正対象書類名】明細書
【補正対象項目名】００７１
【補正方法】削除
【補正の内容】
【手続補正３２】
【補正対象書類名】明細書
【補正対象項目名】００７２
【補正方法】削除
【補正の内容】
【手続補正３３】
【補正対象書類名】明細書
【補正対象項目名】００７３
【補正方法】削除
【補正の内容】
【手続補正３４】
【補正対象書類名】明細書
【補正対象項目名】００７４
【補正方法】削除
【補正の内容】
【手続補正３５】
【補正対象書類名】明細書
【補正対象項目名】００７５
【補正方法】削除
【補正の内容】